(57)【要約】【課題】雨滴による振動音が室内に伝わることを十分に低減できる出窓の屋根とする。【解決手段】裏面に制振材シート８が貼着された屋根板１と回り縁２と、吸音材９が貼着された天板３と、背板４で空洞部５を有する屋根本体６とし、その空洞部５に独立気泡の硬質ポリウレタンフォーム７を注入充填した出窓の屋根であり、屋根板１に衝突した雨滴による振動音が室内に伝わることを、硬質ポリウレタンフォーム７、制振材シート８、吸音材９で低減できる。【選択図】      図３
2004316222.tif 000002
【特許請求の範囲】
【請求項１】
屋根板１と回り縁２と天板３と背板４で空洞部５を有する屋根本体６と、
この屋根本体６の空洞部５内に注入充填して設けた独立気泡のポリウレタンフォームと、
前記屋根板１の裏面に貼着した制振材シート８と、
前記空洞部５内に設けた吸音材９で形成したことを特徴とする建物用小屋根。
【請求項２】
独立気泡のポリウレタンフォームは、独立気泡の硬質ポリウレタンフォーム７で、吸音材９は、ブロック形状に形成されたグラスウール又は吸音フェルトで、天板３の空洞部５側面に貼着してある請求項１記載の建物用小屋根。
【発明の詳細な説明】
【０００１】
【発明の属する技術分野】
本発明は、出窓の屋根や庇などの建物開口部の上縁部に沿って取付けられる建物用小屋根に関する。
【０００２】
【従来の技術】
特許文献１に開示された出窓の屋根が知られている。
この出窓の屋根は屋根板と天板の間の空間に硬質発泡ウレタンを充填した形状である。
この出窓の屋根であれば、屋根板に雨滴が衝突したことにより発生する振動音を硬質発泡ウレタンで緩衝して振動音が室内に伝わることを低減できる。
【０００３】
【特許文献１】
特開平９−３２１８２号公報
【０００４】
【発明が解決しようとする課題】
前述した従来の出窓の屋根であれば、雨滴が屋根板に衝突したことにより発生する振動音が硬質発泡ウレタンで緩衝され、その振動音が室内に伝わることを低減できるが、その振動音の緩衝が十分ではなく、振動音が室内に伝わることを十分に低減できない。
【０００５】
本発明は、前述の課題に鑑みなされたものであって、その目的は、雨滴が屋根板に衝突したことにより発生する振動音が室内に伝わることを十分に低減できるようにした建物用小屋根を提供することである。
【０００６】
【課題を解決するための手段】
第１の発明は、屋根板１と回り縁２と天板３と背板４で空洞部５を有する屋根本体６と、
この屋根本体６の空洞部５内に注入充填して設けた独立気泡のポリウレタンフォームと、
前記屋根板１の裏面に貼着した制振材シート８と、
前記空洞部５内に設けた吸音材９で形成したことを特徴とする建物用小屋根である。
【０００７】
第２の発明は、第１の発明において独立気泡のポリウレタンフォームは、独立気泡の硬質ポリウレタンフォーム７で、吸音材９は、ブロック形状に形成されたグラスウール又は吸音フェルトで、天板３の空洞部５側面に貼着してある建物用小屋根である。
【０００８】
【作  用】
第１の発明によれば、屋根板１に雨滴が衝突することによる振動の発生が制振材シート８で低減され、発生する振動音が低減される。
この発生した振動音は、ポリウレタンフォームと吸音材８で室内への伝達が低減される。
よって、雨滴の衝突による振動音が室内に伝達することが大幅に低減した建物用小屋根である。
また、独立気泡のポリウレタンフォームを屋根本体６の空洞部５内に注入充填したので、屋根板１と回り縁２と天板３と背板４の各連結部から雨水等が浸入した時に、その浸入した雨水がポリウレタンフォームの内部を伝わって室内側まで流れることがない。
【０００９】
第２の発明によれば、吸音材９がブロック形状に形成されたグラスウール又は吸音フェルトであるから、吸音効果が大きくなる。
また、吸音材９を天板３に貼着したことで、天板３に対して容易に固定する事ができると共に、硬質ポリウレタンフォームを注入充填する際に吸音材９の天板３上における取付け位置がずれる事がないし、その吸音材９の弾性復元力で屋根板１が上にふくらむことがない。
また、硬質ポリウレタンフォーム７を用いたことによって屋根板１と回り縁２、天板３と背板４の連結部の強度が向上する。
【００１０】
【発明の実施の形態】
図１と図２と図３に示すように、屋根板１と回り縁２と天板３と背板４で空洞部５を有する屋根本体６を形成し、その屋根本体６の空洞部５に独立気泡のポリウレタンフォーム、好ましくは独立気泡の硬質ポリウレタンフォーム７を注入充填すると共に、屋根板１の裏面に制振材シート８を貼着し、天板３の上面（空洞部５側面）に吸音材９を設けて建物用小屋根、例えば出窓の屋根を形成している。
【００１１】
前記屋根板１はアルミニウム板や鉄板などを板金加工したもので、平面形状が長方形の主屋根板１０と、この主屋根板１０の両端部と連続した一対の平面形状が略三角形の端部屋根板１１と、前記主屋根板１０、端部屋根板１１の室内側縁と連続した主取付縦片１２、端部取付縦片１３を有する。この屋根板１は平面形状が略台形形状である。
前記主屋根板１０、端部屋根板１１の室外側縁は室内側に向けて鉤形に折り曲げられて主取付鉤片１４、端部取付鉤片１５を形成している。
前記主屋根板１０の裏面と一対の端部屋根板１１の裏面に亘って前記制振材シート８が貼着してある。
この制振材シート８は、屋根板１の中央部分に貼着され、屋根板１の室内側部分、室外側部分、左右端部分には制振材シート８が存在しない。
これによって、回り縁２と屋根板１の連結部、屋根板１と背板４の連結部に、硬質ポリウレタンフォーム７が充填されるので、その各連結部の連結強度を硬質ポリウレタンフォーム７で向上できる。
つまり、硬質ポリウレタンフォーム７は接着性に優れているので、その硬質ポリウレタンフォーム７が回り縁２と屋根板１、屋根板１と背板４にそれぞれ亘って接着するから、強固に連結できる。
【００１２】
前記回り縁２はアルミニウム板や鉄板など金属製で、図３に示すように、縦板２０、上横板２１、下横板２２で断面略コ字形状で、その縦板２０の上縁寄り外面に屋根板取付片２３を有し、前記下横板２２に上向きの天板取付片２４を有する形材を用いている。この天板取付片２４は内向凹部２５を有する。
前記回り縁２は図１に示すように前述の形材の長手方向両端寄り部と端部を内側に向けて折り曲げて平面形状が屋根板１の室外側縁と同一の略台形形状としてある。
具体的には、縦板２０以外の部分をＶ字状に切断して縦板２０を折り曲げてＶ字状切断端面を接合してある。
このＶ字状切断端面の接合部分２６の水密性は硬質ポリウレタンフォーム７で保持される。つまり、硬質ポリウレタンフォーム７が独立気泡であるから、接合部分２６から浸入した雨水等が硬質ポリウレタンフォーム７の内部を通って室内側まで流れることがない。
【００１３】
前記硬質ポリウレタンフォーム７とはポリウレタンフォームの１種で、性質的には、変形せず一定荷重に対してフォームが破壊を起こし原形に回復しないもの、原料的には、３官能以上の多官能ポリオールを主原料とするものである。
なお、ポリウレタンフォームとしては軟質ポリウレタンフォーム、半硬質ポリウレタンフォームがあり、軟質ポリウレタンフォームは性質的には、外部荷重に対し自由に変形し、荷重を除去するともとの形にもどり、タワミ性をもったもので、原料的には、ＭＷ３０００以上の３官能ポリエーテルを主原料とするものである。半硬質ポリウレタンフォームは性質的には、軟質ポリウレタンフォームよりも固いもので、原料的には、ＭＷ３０００以上の３官能ポリエーテルを主原料とするものである。
なお、硬質ポリウレタンフォーム７の代りに独立気泡の軟質ポリウレタンフォーム、独立気泡の半硬質のポリウレタンフォームを用いても良い。
【００１４】
前記天板３は屋根板１と略同一の平面形状が略台形状で、その室外側端縁３１が図３に示すように回り縁２の内向凹部２５に嵌入して取付けられる。
天板３の室内側端縁３２は一直線状である。
前記屋根板１と回り縁２は図３に示すように、屋根板１の主取付鉤片１４、端部取付鉤片１５を回り縁２の屋根板取付片２３に係止して連結される。
前記吸音材９は天板３の上面に貼着されている。この吸音材９は天板３の中央部に位置し、天板３の室外側部分、室内側部分、左右端部分には吸音材９が存在しない。
これによって、回り縁２と天板３の連結部、天板３と背板４の連結部に硬質ポリウレタンフォーム７が充填されるので、その各連結部の連結強度を硬質ポリウレタンフォーム７で向上できる。
【００１５】
また、吸音材９が天板３の上面に貼着されているので、硬質ポリウレタンフォームの発泡時に弾性圧縮変形した吸音材９の弾性復元力が硬質ポリウレタンフォーム７、天板３で支持され、屋根板１に伝わらないから、屋根板１が吸音材９の弾性復元力で上にふくらむことがない。
【００１６】
前記吸音材９は制振材シート８に貼着しても良い。
【００１７】
前記背板４は天板３の室内側端縁３２に固着具、例えば図示しないコ字状の釘で固着される。この背板４は屋根板１の主取付縦片１２、端部取付縦片１３と回り縁２の室内側端面に接して空洞部５を有する屋根本体６を形成している。
前述のように屋根本体６を組み立てした後に、背板４の孔４０から硬質ポリウレタンフォームを注入充填して空洞部５を硬質ポリウレタンフォーム７で埋め、出窓の屋根を形成する。
【００１８】
前記制振材シート８は振動を低減するものである。
前記吸音材９は、グラスウール、吸音フェルト、スポンジなど用いられる。好ましくは、ブロック形状に形成されたグラスウール又は吸音フェルトである。例えば、所定の高さを幅と長さを有する直方体形状である。具体的には、屋根本体６の左右長さが１８７０ｍｍ、室外側高さ５０ｍｍ、室内側高さ１５０ｍｍ、室内外側寸法３４０ｍｍの場合に、長さが１５００ｍｍ、厚さが５０ｍｍ、幅が２５０ｍｍの直方体である。
【００１９】
【発明の効果】
請求項１に係る発明によれば、屋根板１に雨滴が衝突することによる振動の発生が制振材シート８で低減され、発生する振動音が低減される。
この発生した振動音は、ポリウレタンフォームと吸音材８で室内への伝達が低減される。
よって、雨滴の衝突による振動音が室内に伝達することが大幅に低減した建物用小屋根である。
また、独立気泡のポリウレタンフォームを屋根本体６の空洞部５内に注入充填したので、屋根板１と回り縁２と天板３と背板４の各連結部に雨水等が浸入した時に、その浸入した雨水がポリウレタンフォームの内部を伝わって室内側まで流れることがない。
【００２０】
請求項２に係る発明によれば、吸音材９がブロック形状に形成されたグラスウール又は吸音フェルトであるから、吸音効果が大きくなる。
また、吸音材９を天板３に貼着したことで、天板３に対して容易に固定する事ができると共に、硬質ポリウレタンフォームを注入充填する際に吸音材９の天板３上における取付け位置がずれる事がないし、その吸音材９の弾性復元力で屋根板１が上にふくらむことがない。
また、硬質ポリウレタンフォーム７を用いたことによって屋根板１と回り縁２、天板３と背板４の連結部の強度が向上する。
【図面の簡単な説明】
【図１】屋根本体の分解斜視図である。
【図２】屋根の斜視図である。
【図３】屋根の縦断面図である。
【符号の説明】
１…屋根板、２…回り縁、３…天板、４…背板、５…空洞部、６…屋根本体、７…硬質ポリウレタンフォーム、８…制振材シート、９…吸音材。
【図１】
2004316222.tif 000003
【図２】
2004316222.tif 000004
【図３】
2004316222.tif 000005